(57)【特許請求の範囲】
【請求項１】
ガン本体のグリップ内に設けられたマガジン室にマガジンを着脱自在に取り付け、該マガジンのボンベ室に収納したガスボンベの上部吐出口をゴムパッキンで保持する一方、ボンベ室の下方開口部に設けられたネジ溝に蓋部材の外周のネジ溝を捻じ込むことによって該蓋部材でガスボンベを支持した状態で収納するようにしたガスガンのボンベ収納支持構造において、
該蓋部材はガスボンベの半球状の底面に対応した半球状の内底面を有すると共に、該蓋部材の内底面の中心に該内底面から上方へ突出した平坦形状のボスを固定し、該ボスの上面でガスボンべの底面を点接触状態で支持するようにしたことを特徴とするガスガンのボンベ支持構造。
【請求項２】
蓋部材の底面に形成された円弧形溝にコインの端部を係合して、該コインを指先で回転することによって蓋部材を回動可能にしたことを特徴する請求項１記載のガスガンのボンベ支持構造。
【発明の詳細な説明】
【技術分野】
【０００１】
本発明は、二酸化炭素を充填したＣＯ2ボンベを使用するガスガンのボンベ支持構造に関する。
【背景技術】
【０００２】
従来から、玩具銃のパワーソースとして圧縮ガスを使用したガスガンが知られている。このガスガンは、ハンマー又はストライカーで放出バルブの後端を叩くことによってガス通路を開放し、圧縮ガスを放出する。そして、この圧縮ガスをチャンバーに待機させた弾丸に噴射することにより、弾丸を発射するようにしている。
【０００３】
ところで、従来から、ガスガンのパワーソースとして使用していた代替フロンは、二酸化炭素（ＣＯ2）の数百倍から１万倍以上の温室効果を持つことが知られている。従って、近年においては、代替フロンの排出削減が推進される状況にあり、玩具銃の分野においても、液化炭酸ガスを充填したＣＯ2ボンベを使用するガスガンの開発が進められている。
【０００４】
そのようなガスガンの従来例として、特許文献1には、ガス源として高圧二酸化炭素ボンベを使用し、この二酸化炭素ボンベに放出ガス圧を一定圧に減圧する減圧装置を取り付けたガスガンの構造が記載されている。この文献において、ガスガンのケースに二酸化炭素ボンベを取付ける構造は、減圧装置に螺着した継ぎ手に二酸化炭素ボンベを螺締することによって取付ける構造とされている。
【０００５】
このような構造に対して、図６(ａ)に示すＣＯ2ボンベの収納構造は、マガジン４の下方開口部１２からボンベ室１１にＣＯ2ボンベ（以下、「ガスボンベ」と云う）１０を挿入し、このガスボンベ１０の底面１０ａを蓋部材１３で支持すると共に、蓋部材１３の外周のネジ溝１３ａをボンベ室１１の下方開口部１２のネジ溝１２ａに捻じ込む構造とされている。
【０００６】
このようなガスボンベ１０をマガジン４内に収納する場合、マガジン４内のボンベ室１１の上部に設けられた保持部１６でガスボンベ１０の吐出口１８を保持する。次いで、ガスボンベ１０の底面１０ａに蓋部材１３の内底面１４を当て、この状態で蓋部材１３の外周に設けられたネジ溝１３ａをボンベ室１１の下方開口部１２のネジ溝１２ａに螺合する。これによって、マガジン４の保持部１６に設けられた開封用管口２０の先端突起１９がガスボンベ１０の吐出口１８の上蓋部１８ａを押し開くことにより開封状態となり、ガスボンベ１０内の二酸化炭素がマガジン４内のガス通路８へ流入することとなる。
【０００７】
ところで、上記の構造において、図６（ｂ)に示すように、マガジン４内の上部にはガスボンベ１０の吐出口１８を保持する部位にゴムパッキン２１が装着され、このゴムパッキン２１でガスボンベ１０の吐出口１８をシールし、ガスボンベ１０内のＣＯ2ガスを他に漏洩することなくガス通路８へ流入するようにしている。
【０００８】
一方、図６(ｃ)に示すように、半球形に形成されたガスボンベ１０の底面１０ａを蓋部材１３の半球形の内底面１４で面接触させた状態に支持する。この状態で蓋部材１３を回転してボンベ室１１の下方開口部１２のネジ溝１２ａに螺入すると、蓋部材１３の内底面１４とガスボンベ１０の底面１０ａとが面接触で密接し、蓋部材１３の回動に伴ってガスボンベ１０も回動する。このため、ガスボンベ１０の吐出口１８を保持しているゴムパッキン２１が磨り減ったり損傷したりして、シール性能が低下するという問題が生じる。
【０００９】
また、上記のようにガスボンベ１０の吐出口１８がゴムパッキン２１に密着し、かつガスボンベ１０の底面１０ａが蓋部材１３の内底面１４に面接触で密着した状態で蓋部材１３を回動するには、大きな回転力が必要となる。ところで、蓋部材１３の底面には、図３(ｂ)に示すようなコイン２６の円弧形溝２３が形成されているが、この円弧形溝２３に係合したコイン２６を指先で摘んで回動するのは非常に困難であった。
【００１０】
このため、従来から、図３(ａ)に示すような治具２４を用いるのが利便であった。この治具２４は、長尺棒２５ａの先端に二本の短尺棒２５ｂ、２５ｂを間隔をあけて平行に立設し、この二本の短尺棒２５ｂ、２５ｂを蓋部材１３の底面に形成した２個の穴部２２、２２に嵌合することにより、長尺棒２５ａを指先で摘んで回動することを可能としたものである。
【００１１】
上記のように、図６(ａ)に示すマガジン４にガスボンベ１０を収納する場合、図３(ａ)に示す棒状の治具２４を使用していたのであるが、ガスガンで遊戯する度に、この治具２４を常に携行するのは面倒であり、紛失するおそれもあり、携帯するのが容易なコイン２６を使用するのが好都合である。
【先行技術文献】
【特許文献】
【００１２】
【特許文献１】実開昭６４−８０９０号公報
【発明の概要】
【発明が解決しようとする課題】
【００１３】
本発明は、上記の事情に鑑みてなされたものであり、二酸化炭素を充填したＣＯ2ボンベをガスガンのボンベ室に収納した状態でボンベ室を蓋部材で閉塞する際、コインで蓋部材を螺締することができ、しかもＣＯ2ボンベの吐出口を保持するゴムパッキンが磨り減ったり損傷することなくシール性能を確保することができるガスガンのボンベ支持構造を提供することを目的とする。
【課題を解決するための手段】
【００１４】
上記の問題を解決するために、本発明における請求項１のガスガンのボンベ支持構造は、ガン本体のグリップ内に設けられたマガジン室にマガジンを着脱自在に取り付け、該マガジンのボンベ室に収納したガスボンベの上部吐出口をゴムパッキンで保持する一方、ボンベ室の下方開口部に設けられたネジ溝に蓋部材の外周のネジ溝を捻じ込むことによって該蓋部材でガスボンベを支持した状態で収納するようにしたガスガンのボンベ収納支持構造において、該蓋部材はガスボンベの半球状の底面に対応した半球状の内底面を有すると共に、該蓋部材の内底面の中心に該内底面から上方へ突出した平坦形状のボスを固定し、該ボスの上面でガスボンべの底面を点接触状態で支持するようにしたことを特徴とする。
【００１５】
また、本発明の請求項２のガスガンのボンベ支持構造は、請求項１において、蓋部材の底面に形成された円弧形溝にコインの端部を係合して、該コインを指先で回転することによって蓋部材を回動可能にしたことを特徴する。
【発明の効果】
【００１６】
本発明によれば、ガン本体のグリップのボンベ室内に収納したガスボンベの底面を支持する蓋部材は、ボンベの半球状の底面に対応した半球状の内底面を有すると共に、蓋部材の内底面の中心に、内底面から上方へ突出した平坦形状のボスを固定した構造とされている。
【００１７】
従って、この平坦形状のボスの上面でガスボンベの半球状の底面を支持した場合、ボスの上面はガスボンべの底面を点接触状態で支持することとなる。このため、ガスボンベをグリップのボンベ室に収納し、蓋部材をボンベ室の下方開口部に設けられたネジ溝に捻じ込むと、ボスの上面とガスボンべの底面との点接触位置で滑りが生じ、ガスボンベは蓋部材の回動に伴って回転することなく、ガスボンベの上部吐出口はゴムパッキンに静的に保持された状態を保つことができ、初期のシール性能を維持することが可能となる。
【００１８】
また、上記のようにボスの上面はガスボンべの半球状の底面を点接触状態で支持しているため、蓋部材をボンベ室の下方開口部に設けられたネジ溝に捻じ込む際、その蓋部材は小さい回転力で回転することが可能となる。従って、蓋部材の底面に形成された円弧形溝にコインの端部を係合して、このコインを指先で回転するだけで蓋部材を容易に回転することが可能となる。
【図面の簡単な説明】
【００１９】
【図１】（ａ）は本発明の実施例におけるガスガンのマガジン室を中心に図示した断面図であり、(ｂ)はガスボンベの吐出口の周辺を１点鎖線の円弧形内に示す部分拡大図である。
【図２】本発明の実施例におけるマガジンを示す図であり、（ａ）は正面図、(ｂ)は側面図、(ｃ)は底面図である。
【図３】本発明の実施例におけるマガジンの斜視図であり、（ａ）は棒状の治具を使用する場合の図であり、(ｂ)はコインを使用する場合の図である。
【図４】（ａ）は本発明の実施例におけるガスガンのマガジン室に収納されたガスボンベと蓋部材の接触状態を示す部分断面図であり、(ｂ)は従来のガスガンのマガジン室に収納されたガスボンベと蓋部材の接触状態を示す部分断面図である。
【図５】本発明の実施例におけるガスガンに用いる蓋部材とガスガンの底面付近を示す斜視図である。
【図６】（ａ）は従来のガスガンのマガジン室を中心に図示した断面図であり、(ｂ)はガスボンベの吐出口の周辺を１点鎖線の円弧形内に示す部分拡大図であり、(ｃ)はガスボンベの底部付近と従来の蓋部材を示す斜視図である。
【発明を実施するための形態】
【００２０】
本発明の実施例について図面を参照しながら説明する。
【実施例】
【００２１】
本発明による実施例のガスガンについて説明する。図１（ａ）、(ｂ)に示すガスガンは、ガン本体１のグリップ２内に設けられたマガジン室３にマガジン４を着脱自在に挿着することが可能である。このマガジン４には、発射前の弾丸Ｂを待機状態に保持するチャンバー５に連通した弾倉６が形成されている。この弾倉６の内部にはフォロア９がフォロアスプリング７で支持された構成とされている。
【００２２】
また、高圧二酸化炭素を収納したＣＯ2ガスボンベ（以下、単に「ガスボンベ」と云う）１０の吐出口１８と発射前の弾丸Ｂを保持するチャンバー５との間にガス通路８が設けられている。このような構成において、チャンバー５に保持された弾丸Ｂは、ガス通路８を経て流通される圧縮ガスの圧力によって、チャンバー５からインナーバレル１７を経て前方へ発射される。
【００２３】
さらに、マガジン４にはガスボンベ１０を装着するボンベ室１１が設けられている。このボンベ室１１に装着されたガスボンベ１０は、ボンベ室１１の上部に設けられた保持部１６でガスボンベ１０の吐出口１８を保持するようにしている。一方、ボンベ室１１の下方開口部１２の内周に形成されたネジ溝１２ａに蓋部材１３の外周のネジ溝１３ａを捻じ込むことによって固定することが可能である。
【００２４】
上記のボンベ室１１の上部に設けられた保持部１６は、図１(ｂ)に示すように、ガスボンベ１０の吐出口１８の上面の上蓋部１８ａを押し開くための先端突起１９を有する開封用管口２０が設けられると共に、開封用管口２０の周部にゴムパッキン２１が設けられている。このゴムパッキン２１がガスボンベ１０の吐出口１８の上端に密着することによって、ガスボンベ１０の吐出口１８からのガス漏れを防止するようにしている。
【００２５】
また、ガスボンベ１０の底面１０ａを支持する蓋部材１３をボンベ室１１の下方開口部１２のネジ溝１２ａに捻じ込んだ際、開封用管口２０の先端突起１９がガスボンベ１０の吐出口１８の上蓋部１８ａを押し開くことにより開封状態となり、ガスボンベ１０内の二酸化炭素がガス通路８内へ流入する。
【００２６】
このような構成において、蓋部材１３は、ガスボンベ１０の半球状の底面１０ａに対応した半球状の内底面１４を有すると共に、該蓋部材１３の内底面１４の中心に該内底面１４から上方へ突出した平坦形状のボス１５を固定した構成としている。
【００２７】
このボス１５について詳細に述べると、図５に示すように、蓋部材１３の半球状の内底面１４の中心、即ち蓋部材１３の半球状の内底面１４の最下底部に形成された円径の貫通孔１４ａに金属製のボス１５の円筒形の軸部１５ａを圧入する。また、ボス１５の軸部１５ａの上部に形成された円形の平板部１５ｂを蓋部材１３の半球状の内底面１４の上面に当接した状態に固定することによって、ボス１５の平板部１５ｂの厚さ分が蓋部材１３の半球状の内底面１４から上方へ突出した状態となる
【００２８】
上記の構成において、図４(ａ)に示すように、ボンベ室１１にガスボンベ１０を収納し、ボス１５の平板部１５ｂの上面でガスボンベ１０の半球状の底面１０ａを支持した場合、ボス１５の平板部１５ｂの上面はガスボンべ１０の底面１０ａを点接触状態で支持することとなる。即ち、ガスボンべ１０の底面１０ａはボス１５の上面に接触した１点で支持された状態となり、ボス１５以外の内底面１４には接触しない構造となる。
【００２９】
このため、ガスボンベ１０をガス本体１のグリップ２のボンベ室１１に収納し、蓋部材１３をボンベ室１１の下方開口部１２に設けられたネジ溝１２ａに捻じ込むと、ボス１５の上面とガスボンべ１０の底面との点接触位置で滑りが生じ、ガスボンベ１０は蓋部材１３の回動に伴って回転することがない。
【００３０】
従って、ガスボンベ１０の上部吐出口１８はゴムパッキン２１に静的に保持された状態を保つことができ、従来のようにゴムパッキン２１が磨り減ったり損傷することがなく、初期のシール性能を維持することが可能となる。
【００３１】
さらに、上記のようにボス１５の上面はガスボンべ１０の底面１０ｂを点接触状態で支持しているため、蓋部材１３をボンベ室１１の下方開口部１２に設けられたネジ溝１２ａに捻じ込む際、その蓋部材１３は小さい回転力で回転することが可能となる。
【００３２】
従って、図３(ａ)に示すように棒状の治具２４を使用するほか、図３(ｂ)に示すように、蓋部材１３の底面に形成された円弧形溝２３にコイン２６の端部を係合して、このコイン２６を指先で回転するだけで蓋部材１３を容易に回転することが可能となる。
【産業上の利用可能性】
【００３３】
本発明のガスガンのボンベ支持構造は、二酸化炭素を充填したＣＯ2ボンベをガスガンのボンベ室に収納した状態でボンベ室を蓋部材で閉塞する際、コインで蓋部材を螺締することができ、しかもＣＯ2ボンベの吐出口を保持するゴムパッキンが磨り減ったり損傷することなくシール性能を確保することができるガスガンのボンベ支持構造として利用可能である。
【符号の説明】
【００３４】
Ｂ  弾丸
１  ガン本体
２  グリップ
３  マガジン室
４  マガジン
５  チャンバー
６  弾倉
７  フォロアスプリング
８  ガス通路
９  フォロア
１０  ガスボンベ（ＣＯ2ボンベ）
１０ａ  底面
１１  ボンベ室
１２  下方開口部
１２ａ  ネジ溝
１３  蓋部材
１３ａ  ネジ溝
１４  内底面
１４ａ  貫通孔
１５  ボス
１５ａ  軸部
１５ｂ  平板部
１６  保持部
１７  インナーバレル
１８  吐出口
１８ａ  上蓋部
１９  先端突起
２０  開封用管口
２１  ゴムパッキン
２２  穴部
２３  円弧形溝
２４  治具
２５ａ  長尺棒
２５ｂ  短尺棒
２６  コイン
【図１】
0005433727.tif 000002
【図２】
0005433727.tif 000003
【図３】
0005433727.tif 000004
【図４】
0005433727.tif 000005
【図５】
0005433727.tif 000006
【図６】
0005433727.tif 000007